【手続補正書】
【提出日】平成23年12月5日(2011.12.5)
【手続補正１】
【補正対象書類名】特許請求の範囲
【補正対象項目名】全文
【補正方法】変更
【補正の内容】
【特許請求の範囲】
【請求項１】
軟質積層フィルムからなる包装袋本体の一縁部に、重なり合うプラスチックフィルム相互間に液状物が介在するときに逆止機能を生ずる平坦なフィルム状逆止ノズルを突設してなり、かつこのような包装袋本体の、表裏いずれか少なくとも一方の積層フィルムが、少なくとも前記フィルム状逆止ノズル側の側縁近傍において、直線状または曲線状の凹凸構造が付与されてなる非自立型フレキシブル包装袋内に、液状あるいは粘稠状の被包装物を液中シール充填してなる非自立型液状物充填内包装体と、
その非自立型液状物充填内包装体を収納するための筒状の容器であって、その収納時に前記フィルム状逆止ノズルに対応する位置の一縁部に、該ノズルの先端部側を露出可能に収納すると共に、これを露出させるためのノズル引き出し用引裂き誘導疵を設けて開封可能とした張り出し小袋部を突設してなり、かつ、自立を可能にする底部を設けてなる自立型ディスペンス外包装容器と、
からなる液状物充填包装構造体において、
前記張り出し小袋部の上端から下端にわたって設けられた前記ノズル引き出し用引裂き誘導疵が、中央部において凹んだ波形に形成されていることを特徴とする液状物充填包装構造体。
【請求項２】
前記ノズル引き出し用引裂き誘導疵は、前記フィルム状逆止ノズルの上部シール部分上方および下部シール部分に対応する位置において、ノズル先端側に膨らむように形成されていると共に、前記フィルム状逆止ノズルの注出通路部分に対応する中程の位置において、ノズル基端部側に凹むように形成されていることを特徴とする請求項１に記載の液状物充填包装構造体。
【請求項３】
前記フィルム状逆止ノズルの下部縁部と、隣接する前記自立型ディスペンス外包装容器のシール部内縁部との間に、３ｍｍ〜１０ｍｍの隙間を有することを特徴とする請求項１または２に記載の液状物充填包装構造体。
【請求項４】
前記ノズル引き出し用引裂き誘導疵は、下方から上方、もしくは上方から下方に向くいずれかから引裂くことで、開封されるようにすることを特徴とする請求項１〜３のいずれか1項に記載の液状物充填包装構造体。
【請求項５】
前記自立型ディスペンス外包装容器は、舟底形底部の両角部がそれぞれ面取りされていると共に、その面取り部の曲率半径Ｒが、８ｍｍ以上の大きさで、かつ底部が下向き凸のゆるい湾曲状を呈することを特徴とする請求項１〜４のいずれか１項に記載の液状物充填包装構造体。
【請求項６】
前記フィルム状逆止ノズルは、重なり合う２枚の軟質積層フィルムを、ノズル基端部となる部分を除く外周縁部分を相互に融着し、中央部分を注出通路として構成して、包装袋本体の側部に、これの基端部を融着接合されたものであって、
包装袋本体を傾動させて被包装物を注出した際に、該被包装物が通過することによって、前記注出通路内が濡れた状態となる積層フィルムの内表面どうしが、該注出通路内表面に被包装物が滞留することによる相互の密着作用によって、外気の侵入を阻止する逆止機能を生ずるものであることを特徴とする請求項１〜５のいずれか１項に記載の液状物充填包装構造体。
【請求項７】
前記フィルム状逆止ノズルは、表裏いずれか少なくとも一方の積層フィルムの切り裂き予定位置とその近傍を除く基端部側に、凹凸構造を有することを特徴とする請求項１〜６のいずれか１項に記載の液状物充填包装構造体。
【請求項８】
前記積層フィルムに付与された凹凸構造は、表裏の積層フィルムの一方もしくは両方に、エンボス加工、ブラスト加工、ローレット加工、しわ加工、縦・横縞加工を、面状、島状、ストライプ状に施して、一部模様もしくは全部模様として形成されたものであることを特徴とする請求項１〜７のいずれか１項に記載の液状物充填包装構造体。
【請求項９】
前記包装袋本体の非シール部内面および前記フィルム状逆止ノズルの注出通路内面のいずれか一方もしくは両方の内面に、コロナ放電処理、ＵＶオゾン処理、プラズマ処理および火炎処理のいずれか１以上の処理からなる濡れ処理が施されていることを特徴とする請求項１〜８のいずれか１項に記載の液状物充填包装構造体。
【請求項１０】
前記フィルム状逆止ノズルの基端部は、対面するシーラント層を低融点プラスチックフィルムによって低温融着され、注出通路内表面が仮封止されていることを特徴とする請求項１〜９のいずれか１項に記載の液状物充填包装構造体。
【請求項１１】
前記包装袋本体は、それの上横シール部分の前記フィルム状逆止ノズルの上縁より高い位置に、ガス溜め空間を有することを特徴とする請求項１〜１０のいずれか１項に記載の液状物充填包装構造体。
【請求項１２】
前記非自立型液状物充填内包装体は、それの上端部横シール部が、前記自立型ディスペンス外包装容器内上端部に融着されて、該自立型ディスペンス外包装容器内に懸吊された状態にて収納保持されていることを特徴とする請求項１〜１１のいずれか１項に記載の液状物充填包装構造体。
【請求項１３】
前記自立型ディスペンス外包装容器は、船底形の底部を有し、頂部は非自立型液状物充填内包装体を交換するために開閉可能にしたチャック構造を有する自立型のフレキシブル包装袋であることを特徴とする請求項１〜１２のいずれか１項に記載の液状物充填包装構造体。
【請求項１４】
前記自立型ディスペンス外包装容器は、船底形の底部を有し、頂部は非自立型液状物充填内包装体を交換するために開閉可能にした可撓性のプラスチック製、紙製もしくは金属製のディスペンサー機能をもつ包装体にて構成されていることを特徴とする請求項１〜１３のいずれか１項に記載の液状物充填包装構造体。
【手続補正２】
【補正対象書類名】明細書
【補正対象項目名】００１０
【補正方法】変更
【補正の内容】
【００１０】
本発明において、上記液状物充填包装構造体は、
（１）前記ノズル引き出し用引裂き誘導疵は、前記フィルム状逆止ノズルの上部シール部分上方および下部シール部分において、ノズル先端側に膨らむように形成されていると共に、前記フィルム状逆止ノズルの注出通路部分に対応する中程の位置において、ノズル基端部側に凹むように形成されていること、
（２）前記フィルム状逆止ノズルの下部縁部と、隣接する前記自立型ディスペンス外包装容器のシール部内縁部との間に、３ｍｍ〜１０ｍｍの隙間を有すること、
（３）前記ノズル引き出し用引裂き誘導疵は、下方から上方、もしくは上方から下方に向くいずれかから引裂くことで、開封されるようにすること、
（４）前記自立型ディスペンス外包装容器は、舟底形底部の両角部がそれぞれ面取りされていると共に、その面取り部の曲率半径Ｒが、８ｍｍ以上の大きさで、かつ底部が下向き凸のゆるい湾曲状を呈すること、
（５）前記フィルム状逆止ノズルは、重なり合う２枚の軟質積層フィルムを、ノズル基端部となる部分を除く外周縁部分を相互に融着し、中央部分を注出通路として構成して、包装袋本体の側部に、これの基端部を融着接合されたものであって、
包装袋本体を傾動させて被包装物を注出した際に、該被包装物が通過することによって、前記注出通路内が濡れた状態となる積層フィルムの内表面どうしが、該注出通路内表面に被包装物が滞留することによる相互の密着作用によって、外気の侵入を阻止する逆止機能を生ずるものであること、
（６）前記フィルム状逆止ノズルは、表裏いずれか少なくとも一方の積層フィルムの切り裂き予定位置とその近傍を除く基端部側に、凹凸構造を有すること、
（７）前記積層フィルムに付与された凹凸構造は、表裏の積層フィルムの一方もしくは両方に、エンボス加工、ブラスト加工、ローレット加工、しわ加工、縦・横縞加工を、面状、島状、ストライプ状に施して、一部模様もしくは全部模様として形成されたものであること、
（８）表裏で一対の前記積層フィルムの凹凸構造部分は、凹部・凸部が互いに勘合して３０〜１００μｍの略一定の隙間となるように設けられたものであること、
（９）前記フィルム状逆止ノズルは、これの基端部側に隣接する下部に注出量制御用液溜め部を有すること、
（１０）前記フィルム状逆止ノズルは、これの基端部シール部のノズル入口部分に、注出通路の上部もしくは下部の一部を塞ぐ堰止め部が設けられていること、
（１１）前記包装袋本体の非シール部内面および前記フィルム状逆止ノズルの注出通路内面のいずれか一方もしくは両方の内面に、コロナ放電処理、ＵＶオゾン処理、プラズマ処理および火炎処理のいずれか１以上の処理からなる濡れ処理が施されていること、
（１２）前記フィルム状逆止ノズルの基端部は、対面するシーラント層を低融点プラスチックフィルムによって低温融着され、注出通路内表面が仮封止されていること、
（１３）前記包装袋本体は、それの上横シール部分の前記フィルム状逆止ノズルの上縁より高い位置に、ガス溜め空間を有すること、
（１４）前記非自立型液状物充填内包装体は、それの上端部横シール部が、前記自立型ディスペンス外包装容器内上端部に融着されて、該自立型ディスペンス外包装容器内に懸吊された状態にて収納保持されていること、
（１５）前記自立型ディスペンス外包装容器は、船底形の底部を有し、頂部は非自立型液状物充填内包装体を交換するために開閉可能にしたチャック構造を有する自立型のフレキシブル包装袋であること、
（１６）前記自立型ディスペンス外包装容器は、船底形の底部を有し、頂部は非自立型液状物充填内包装体を交換するために開閉可能にした可撓性のプラスチック製、紙製もしくは金属製のディスペンサー機能をもつ包装体にて構成されていること、
がより好ましい解決手段となる。